(57)【特許請求の範囲】
【請求項１】
電力系統の電力設備を監視制御する電力設備監視制御装置であって、
前記電力設備を構成する電線を識別する電線アドレスと、前記電線に接続される電力機器を識別する機器アドレスと、が関連付けられた第一のテーブルと、
前記機器アドレスと、前記電力機器が開閉器であるか前記開閉器以外の機器であるかを示すフラグと、前記電力機器の一次側および二次側に各々接続される前記電線の前記電線アドレスと、が関連付けられた第二のテーブルと、を記憶する記憶部と、
前記第一のテーブルと前記第二のテーブルと前記電力設備の状態情報とに基づいて、前記開閉器または前記開閉器以外の機器に接続される前記電線が充電状態であるか停電状態であるかを判定し、充電状態または停電状態の前記電線を視覚化して表示部へ表示させる充停電状態判定表示部と、
を備えたことを特徴とする電力設備監視制御装置。
【請求項２】
前記第二のテーブルのフラグは、前記電力機器が開閉器であるか一方向にのみ電流を流す機器であるか否かを示す方向フラグを含み、
前記充停電状態判定表示部は、この第二のテーブルと前記第一のテーブルと前記電力設備の状態情報とに基づいて、前記電力機器が前記一方向にのみ電流を流す機器であると判定したとき、この機器に接続される前記電線が充電状態であるか停電状態であるかを判定することを特徴とする請求項１に記載の電力設備監視制御装置。
【請求項３】
前記第二のテーブルのフラグは、前記電力機器が開閉器であるか前記電線の接続先を切り替える機器であるかを示す切替フラグを含み、
前記電線アドレスは、前記電力機器の一次側および二次側に各々接続される複数の前記電線を識別するアドレスに区分され、
前記充停電状態判定表示部は、この第二のテーブルと前記第一のテーブルと前記電力設備の状態情報とに基づいて、前記電力機器が前記電線の接続先を切り替える機器であると判定したとき、この機器に接続される前記電線が充電状態であるか停電状態であるかを判定することを特徴とする請求項１または２に記載の電力設備監視制御装置。
【請求項４】
ネットワークを介して電力系統の電力設備を監視制御する電力設備監視制御システムであって、
前記ネットワークに接続された複数の変電所に配置された前記電力設備の状態情報を収集する遠制親局と、
前記電力設備を構成する電線を識別する電線アドレスと前記電線に接続される電力機器を識別する機器アドレスとが関連付けられた第一のテーブルと、前記機器アドレスと前記電力機器が開閉器であるか前記開閉器以外の機器であるかを示すフラグと前記電力機器の一次側および二次側に各々接続される前記電線の前記電線アドレスとが関連付けられた第二のテーブルと、前記電力設備の状態情報とに基づいて、前記開閉器または前記開閉器以外の機器に接続される前記電線が充電状態であるか停電状態であるかを判定し、充電状態または停電状態の前記電線を視覚化して表示部へ表示させる中央処理装置と、
を備えたことを特徴とする電力設備監視制御システム。 
【発明の詳細な説明】
【技術分野】
【０００１】
本発明は、電力設備監視制御装置および電力設備監視制御システムに関するものである。
【背景技術】
【０００２】
電力設備監視制御システムは、変電所に設けられた電力設備を集中的に監視すると共に遠隔制御することを目的としたシステムであり、一般的には、基本処理を司る中央処理装置と、電力設備の状態表示や制御操作を行うための表示端末と、遠方の変電所と通信を行うための遠制親局と、遠制子局とで構成される。
【０００３】
例えば下記特許文献１には、電力設備を構成する電線（以下「ライン」）と、このラインに接続される電力機器（以下「機器」）である開閉器に、アドレスと接続情報をデータ属性として持たせた上で、接続情報を使用して比較的簡素な判定アルゴリズムでラインの加圧または無加圧の状態（以下「充停電状態」）を判定して判定結果を表示端末に表示させる方法が開示されている。
【先行技術文献】
【特許文献】
【０００４】
【特許文献１】特開平８−１４９７２１号公報
【発明の概要】
【発明が解決しようとする課題】
【０００５】
しかしながら、上記特許文献１に示される従来技術では、ラインに接続される機器として、入、切、不明の何れかの状態を持つ開閉器のみを対象として充停電状態を判定しているため、例えば、一定方向にのみ電流を流す特性を持った機器に接続されたラインの充停電状態や、接続先を切り替える機能を持った機器に接続されたラインの充停電状態を判定することができず、このような機器が接続されたラインの充停電状態を正確に表示することができないという課題があった。
【０００６】
本発明は、上記に鑑みてなされたものであって、開閉器以外の電力機器が設けられている場合でもこの電力機器に接続されたラインの充停電状態を表示することができる電力設備監視制御装置および電力設備監視制御システムを得ることを目的とする。
【課題を解決するための手段】
【０００７】
上述した課題を解決し、目的を達成するために、本発明は、電力系統の電力設備を監視制御する電力設備監視制御装置であって、前記電力設備を構成する電線を識別する電線アドレスと、前記電線に接続される電力機器を識別する機器アドレスと、が関連付けられた第一のテーブルと、前記機器アドレスと、前記電力機器が開閉器であるか前記開閉器以外の機器であるかを示すフラグと、前記電力機器の一次側および二次側に各々接続される前記電線の前記電線アドレスと、が関連付けられた第二のテーブルと、を記憶する記憶部と、前記第一のテーブルと前記第二のテーブルと前記電力設備の状態情報とに基づいて、前記開閉器または前記開閉器以外の機器に接続される前記電線が充電状態であるか停電状態であるかを判定し、充電状態または停電状態の前記電線を視覚化して表示部へ表示させる充停電状態判定表示部とを備えたことを特徴とする。
【発明の効果】
【０００８】
この発明によれば、開閉器以外の電力機器が設けられている場合でもこの電力機器に接続されたラインの充停電状態を表示することができる、という効果を奏する。
【図面の簡単な説明】
【０００９】
【図１】図１は、本発明の実施の形態に係る電力設備監視制御装置の概略構成図である。
【図２】図２は、充停電状態判定表示部の機能ブロック図である。
【図３】図３は、図２に示されるラインアドレステーブルの一例を示す図である。
【図４】図４は、図２に示される機器アドレステーブルの一例を示す図である。
【図５】図５は、変電所に設けられた電力設備の一例を示す図である。
【図６】図６は、電力設備の第一の状態表示例を示す図である。
【図７】図７は、電力設備の第二の状態表示例を示す図である。
【図８】図８は、電力設備監視制御装置の動作を説明するフローチャートである。
【発明を実施するための形態】
【００１０】
以下に、本発明に係る電力設備監視制御装置および電力設備監視制御システムの実施の形態を図面に基づいて詳細に説明する。なお、この実施の形態によりこの発明が限定されるものではない。
【００１１】
実施の形態．
図１は、本発明の実施の形態に係る電力設備監視制御システム１００の概略構成図である。図２は、充停電状態判定表示部４２の機能ブロック図である。図３は、図２に示されるラインアドレステーブル５５の一例を示す図である。図４は、図２に示される機器アドレステーブル５４の一例を示す図である。図５は、変電所に設けられた電力設備の一例を示す図である。図６は、電力設備の第一の状態表示例を示す図である。図７は、電力設備の第二の状態表示例を示す図である。
【００１２】
図１に示される電力設備監視制御システム１００は、例えば鉄道用電気設備（き電線や信号機等）へ電力を供給する変電所４５の電力設備４８を、集中的に監視すると共に、遠隔制御することを目的としたシステムである。電力設備監視制御システム１００は、基本処理を司る中央処理装置（電力設備監視制御装置）４０と、電力設備４８の状態表示や制御操作を行うための表示端末（表示部）４１と、遠方の変電所４５と通信を行うための遠制親局４３と、遠制子局４６とで構成される。遠制親局４３はネットワーク４４で複数の遠制子局４６と接続され、遠制子局４６には主配電盤１７が接続されている。また主配電盤１７には変電所４５の電力設備４８が接続されている。
【００１３】
遠制子局４６は、各変電所４５に設けられ、電力設備監視制御システム１００の遠隔制御対象となる電力設備４８の状態が変化した際、ネットワーク４４を介して、電力設備４８の状態を示す状態情報４８ａを遠制親局４３へ送信する。状態情報４８ａは、例えば後述する開閉器２の入り切り状態や電源１の充停電状態などである。遠制親局４３では複数の遠制子局４６から送信された状態情報４８ａを収集して中央処理装置４０へ中継する。中央処理装置４０の充停電状態判定表示部４２は、遠制親局４３から送信される状態情報４８ａに基づいて、電力設備４８の状態を判定して、電力設備４８の充停電状態を表示端末４１へ表示するための処理を行う。
【００１４】
図５には電力設備４８を構成するラインと機器の一例が示され、図５（１）の電力設備４８−１では、開閉器２の一次側に電源１が接続され、開閉器２の二次側にライン１１が接続され、ライン１１に２つの開閉器３、４の一次側が接続され、開閉器３の二次側にライン１２が接続され、開閉器４の二次側にライン１３が接続され、整流器５の一次側にライン１２が接続され、整流器５の二次側にライン１４が接続されている。一方、図５（２）の電力設備４８−２では、切替開閉器２３の一次側の一方の端子が電源２１に接続され、切替開閉器２３の一次側の他方の端子が電源２２に接続され、切替開閉器２３の二次側がライン３３に接続されている。図５（１）、（２）に示される電源１，２１，２２の充停電状態は、検電装置等（図示せず）から取得する情報により判定することができる。
【００１５】
図５（１）において、電源１が充電状態であり、かつ、開閉器２が入状態の場合にはライン１１が充電状態となり、電源１が停電状態の場合には開閉器２の状態に係わらずライン１１が停電状態となる。また開閉器３，４の状態とライン１２，１３の充停電状態に関しては開閉器２とライン１１の関係と同様であり、開閉器２，３，４においては電流が流れる方向に区別はない。一方、図示例のようにライン１２とライン１４との間に整流器５が配置されている場合、ライン１２が充電状態の場合には無条件でライン１４が充電状態となる。また整流器５に接続されたライン１４の先に図示しない電源があり、この電源によりライン１４が充電状態である場合でもライン１２は充電状態にはならない。ライン１３に関してはライン１１が充電状態であり、かつ、開閉器４が入状態の場合のみ充電状態となる。
【００１６】
図５（２）において、電源２１が充電状態であり、かつ、電源２２が停電状態において、切替開閉器２３の一次側接点が電源２１に接続されている場合にはライン３３が充電状態となり、切替開閉器２３の一次側接点が電源２２に接続されている場合にはライン３３が停電状態となる。
【００１７】
本実施の形態に係る中央処理装置４０は、図５のように開閉器２以外の機器（整流器５や切替開閉器２３）がライン上に設けられている場合でも、後述する機器アドレステーブル５４とラインアドレステーブル５５と電力設備４８の状態情報４８ａとに基づいて、ラインが充電状態であるか停電状態であるかを判定し、判定結果を視覚化して表示端末４１へ表示させるように構成されている。
【００１８】
図６および図７には中央処理装置４０によるラインの充停電状態の表示例が示され、図６では充電状態の２つの電源に各々接続された２つの開閉器の二次側に開閉器Ａが接続され、開閉器Ａの二次側にはラインａを介して整流器が接続されている。
【００１９】
図６（１）の表示例によれば、上位の電源から、入状態の開閉器Ａとラインａと一次側から二次側方向に通電される整流器と経由して、整流器の二次側に接続されたラインｂが充電状態であることが分かる。また図６（２）の表示例によれば、隣接変電所（図中の２つの電源を供給する変電所以外の変電所）からラインｂに電源が供給されていない場合、開閉器Ａが入状態から切状態に変化したときに、ラインａ、ｂは停電状態に変化することが分かる。また図６（３）の表示例によれば、隣接変電所からラインｂに電源が供給されている場合には、開閉器Ａが入状態から切状態に変化したときに、ラインａは充電状態から停電状態へ変化するが、ラインｂは充電状態を維持していることが分かる。
【００２０】
図７では、一次側の一方の端子が充電状態の電源に接続され、一次側の他方の端子が停電状態の電源に接続された切替開閉器Ｂの二次側にラインｃが接続されている。図７の表示例によれば、切替開閉器Ｂの一次側の接続先が切り替わることよりラインｃが充電状態（図７（１））または停電状態（図７（２））に変化することが分かる。
【００２１】
以下、これらの表示を実現する構成を説明する。図２において充停電状態判定表示部４２は、主たる構成として、状態監視部５０、充停電状態判定部５１、画面表示部５２を有すると共に、最新の状態情報４８ａである状態情報５３、機器アドレステーブル５４、ラインアドレステーブル５５、およびライン状態情報５６を記憶する記憶部４９を有する。
【００２２】
遠制親局４３からの状態情報４８ａを受信した状態監視部５０は、状態情報５３を更新するとともに、充停電判定が必要であることを充停電状態判定部５１へ通知する。この通知を受信した充停電状態判定部５１は、機器の入切状態などを示す状態情報５３と、ラインアドレステーブル５５と、機器アドレステーブル５４を参照して各ラインの現在状態（充電または停電）を判定し、判定結果に基づいてライン状態情報５６を更新する。また充停電状態判定部５１からライン状態更新通知を受けた画面表示部５２は、ライン状態情報５６を参照して、表示端末４１にライン状態を表示する。
【００２３】
図３においてラインアドレステーブル５５には、ラインを識別する固有の番号であるアドレス５５ａと、ラインの名称５５ｂと、ラインが接続される機器のアドレス５５ｃとが関連付けられている。図４において機器アドレステーブル５４には、機器を識別する固有の番号であるアドレス５４ａと、機器の名称５４ｂと、当該機器が流す電流の方向を設定する方向フラグ５４ｃ（図示例では「方向Ｆ」と表記）と、当該機器の接続先が切替わるかどうかを示す切替フラグ５４ｄ（図示例では「切替Ｆ」と表記）と、機器の一次側と二次側に接続されるラインのアドレス５４ｅとが関連付けられている。方向フラグ５４ｃの値は、例えば、一定方向にのみ電流を流す特性を持った機器では「０」に設定され、一次側から二次側へ電流を流す特性を持った機器では「１」に設定され、二次側から一次側へ電流を流す特性を持った機器では「２」（図示せず）に設定される。なお、本実施の形態では一例として方向フラグ５４ｃと切替フラグ５４ｄの双方が機器アドレステーブル５４に対応付けられているが、少なくとも一方のフラグのみ設定していれば本願の効果を得ることができる。
【００２４】
図８は、電力設備監視制御システム１００の動作を説明するフローチャートであり、まず電力設備監視制御システム１００の立ち上げ時などにおける初期画面の作成手順について説明する。最初に充停電状態判定表示部４２では全ラインの充停電状態が停電状態に設定される（ステップＳ１）。次に充停電状態判定部５１は、探索元の基準ラインとなる任意の電源を取得し（ステップＳ２）、取得した電源の充停電状態を確認し、電源が充電状態の場合（ステップＳ３，Ｙｅｓ）、ラインアドレステーブル５５を参照して当該ラインに接続された機器を取得する（ステップＳ４）。図５（１）を例にして説明すると、例えば探索元の基準ラインが電源１である場合、充停電状態判定部５１では、ラインアドレステーブル５５を参照することにより電源１のアドレスＬ００１に対応したアドレスＫ００１の接続機器１（開閉器２）が取得される。電源が停電状態の場合（ステップＳ３，Ｎｏ）、当該電源に接続するラインは充電されないため、当該電源における探索は終了する。
【００２５】
ステップＳ４で当該ラインに接続された機器を取得した後、充停電状態判定部５１は、機器アドレステーブル５４を参照して当該機器に接続されるラインを取得し、探索元のライン以外に充電状態のラインがある否かを確認する（ステップＳ５）。
【００２６】
探索元のライン以外に充電状態のラインがある場合（ステップＳ５，Ｙｅｓ）、他の電源からの探索において当該機器までの探索が完了しており、当該機器に接続しているラインの探索は終了する。探索元ライン以外に充電状態のラインが無い場合（ステップＳ５，Ｎｏ）、充停電状態判定部５１は、機器アドレステーブル５４の方向フラグ５４ｃにより、現在探索している方向と当該機器が流す電流の方向が一致しているか否かを確認する。すなわち現在探索している方向に電流が流れる機器であるか否かを確認する（ステップＳ６）。
【００２７】
探索している方向に電流が流れる機器ではない場合（ステップＳ６，Ｎｏ）、当該機器に接続しているラインの探索は終了する。探索している方向に電流が流れる機器である場合（ステップＳ６，Ｙｅｓ）、充停電状態判定部５１は、機器アドレステーブル５４の切替フラグ５４ｄにより、当該機器の一次側または二次側に複数の接続先がある否かを確認する（ステップＳ７）。
【００２８】
切替フラグ５４ｄが「１」の場合（ステップＳ７，Ｙｅｓ）、充停電状態判定部５１は、機器アドレステーブル５４のアドレス５４ｅにより、探索元側のラインに複数の接続先があるか否かを確認する（ステップＳ８）。図５（２）を例にして説明すると電源２１、２２が探索元側の複数のラインである。
【００２９】
探索元側のラインに複数の接続先がある場合（ステップＳ８，Ｙｅｓ）、充停電状態判定部５１は、状態情報５３を参照することにより、当該機器の状態が探索元ラインに接続中であるか否かを確認する（ステップＳ９）。
【００３０】
当該機器の状態が探索元ラインに接続中である場合（ステップＳ９，Ｙｅｓ）、当該機器を経由して探索先ラインが充電されていると判断し、探索先ラインを充電に設定する（ステップＳ１０）。当該機器の状態が探索元ラインに接続中ではない場合（ステップ９，Ｎｏ）、当該機器に接続しているラインの探索は終了する。図５（２）を例にして説明すると、切替開閉器２３の一次側の一方の端子が電源２１に接続されているため探索先ラインであるライン３３が充電に設定される。
【００３１】
ステップＳ８で探索元側のラインに複数の接続先が無い場合（ステップＳ８，Ｎｏ）、探索先に複数の接続があると判断でき、当該機器の状態を確認して接続中の探索先ラインを充電に設定する（ステップＳ１５）。
【００３２】
ステップＳ７で切替フラグ５４ｄが「０」の場合（ステップＳ７，Ｎｏ）、充停電状態判定部５１は、状態情報５３を参照して、当該機器が入状態であるか否かを確認する（ステップＳ１６）。当該機器が入状態の場合（ステップＳ１６，Ｙｅｓ）、探索先ラインを充電に設定し（ステップＳ１７）、当該機器が切状態の場合（ステップＳ１６，Ｎｏ）、当該機器に接続しているラインの探索は終了する。なお、当該機器が開閉器でない場合には入り切り状態は存在しないが、状態情報５３では常に入りの状態で固定しておくことで探索先ラインを充電に設定するようにする。
【００３３】
ステップＳ１０で充電に設定したラインの接続先の探索を行うため、当該ラインを探索元ラインに設定し（ステップＳ１１）、ステップＳ４で取得した全機器の探索が完了するまでステップＳ５からＳ１２までの処理が繰り返される（ステップＳ１２，Ｎｏ）。取得した全機器について探索が完了している場合（ステップＳ１２，Ｙｅｓ）、探索元ラインとして設定しているラインが無いか否かを確認し（ステップＳ１３）、探索元ラインが無くなるまでステップＳ４からＳ１３までの処理が繰り返される（ステップＳ１３，Ｎｏ）。探索元ラインが無い場合（ステップＳ１３，Ｙｅｓ）、未探索の電源があるか否か確認し（ステップＳ１４）、未探索のラインが無くなるまでステップＳ２からＳ１４までの処理が繰り返され（ステップＳ１４，Ｎｏ）。未探索の電源が無い場合（ステップＳ１４，Ｙｅｓ）、充電ラインの探索を終了する。このようにしてラインの充停電状態が判定され、ライン状態情報５６が更新される。画面表示部５２では、更新されたライン状態情報５６に基づいて充停電状態を表示端末４１に表示させるための画面表示情報が生成され、表示端末４１では画面表示情報により、図６（１）に示されるような充停電状態の表示が行われる。
【００３４】
初期状態作成後、電源や機器の状態が変化した場合には、変化した箇所から影響範囲を探索するのが適当である。電源の状態が停電から充電に変化した場合には、ステップＳ４以降と同様に充電ラインの探索を行う。電源の状態が充電から停電に変化した場合には、ステップＳ４以降と同様の手順で停電ラインの探索を行うが、この場合は停電ラインの探索を実施するためステップＳ５では探索元以外のラインが停電であるかどうかを確認する手順となり、ステップＳ１０，１５，１７，１１では停電設定となる。
【００３５】
機器の状態が入から切に変化した場合には、当該機器に接続している全ラインを探索元とし、ステップＳ４以降と同様の手順で入状態の機器の接続先を探索し、充電状態の電源と接続しているかどうかを確認する。この場合、電源を探索していくためステップＳ６では探索方向と逆に電流が流れるかどうかを確認する手順となり、ステップＳ１０，１５，１７，１１での充電設定は行わず最終的に充電状態の電源に到達すれば接続する全てのラインを充電、充電状態の電源に到達しなければ接続する全てのラインを停電に設定する。
【００３６】
機器の状態が切から入に変化した場合には、当該機器が接続するライン状態を確認し、充停電状態に不一致があれば探索する必要があると判断し、充電のラインを探索元に設定し、ステップＳ６以降と同様の手順で充電ラインの探索を行う。
【００３７】
以上のように本実施の形態に係る中央処理装置（電力設備監視制御装置）４０は、電力設備４８を構成する電線（ライン）を識別する電線アドレス（アドレス５５ａ）と、電線に接続される電力機器（開閉器２、整流器５、切替開閉器２３）を識別する機器アドレス（アドレス５５ｃ）と、が関連付けられた第一のテーブル（ラインアドレステーブル５５）と、機器アドレス（アドレス５４ｅ）と、電力機器が開閉器であるか開閉器以外の機器であるかを示すフラグ（方向フラグ５４ｃ、切替フラグ５４ｄ）と、電力機器の一次側および二次側に各々接続される電線の電線アドレス（アドレス５４ｅ）と、が関連付けられた第二のテーブル（機器アドレステーブル５４）と、を記憶する記憶部４９と、第一のテーブルと第二のテーブルと電力設備４８の状態情報４８ａとに基づいて、開閉器または開閉器以外の機器（整流器５、切替開閉器２３）に接続される電線が充電状態であるか停電状態であるかを判定し、充電状態または停電状態の電線を視覚化して表示部へ表示させる充停電状態判定表示部４２とを備える。この構成により開閉器以外の機器（整流器５、切替開閉器２３）の一次側および二次側にラインが接続されている場合でもこれらのラインの充停電状態を表示端末４１に表示させることが可能である。
【００３８】
また、第二のテーブルのフラグは、電力機器が開閉器であるか一方向にのみ電流を流す機器（整流器５）であるか否かを示す方向フラグ５４ｃを含み、充停電状態判定表示部４２は、この第二のテーブルと第一のテーブルと電力設備の状態情報４８ａとに基づいて、電力機器が一方向にのみ電流を流す機器であると判定したとき、この機器に接続される電線が充電状態であるか停電状態であるかを判定するように構成されている。この構成により、一方向にのみ電流を流す機器がある場合でも、この機器の一次側および二次側に接続されるラインの充停電状態を表示端末４１に表示させることが可能である。
【００３９】
また、第二のテーブルは、電力機器が開閉器であるか電線の接続先を切り替える機器（切替開閉器２３）であるかを示す切替フラグ５４ｄを含み、電線アドレス（アドレス５４ｅ）は、電力機器の一次側および二次側に各々接続される複数の電線を識別するアドレスに区分され、充停電状態判定表示部４２は、この第二のテーブルと第一のテーブルと電力設備の状態情報４８ａとに基づいて、電力機器が電線の接続先を切り替える機器であると判定したとき、この機器に接続される電線が充電状態であるか停電状態であるかを判定するように構成されている。この構成により、機器の状態によって接続先が変化する機器がある場合でも、この機器の一次側および二次側に接続されるラインの充停電状態を表示端末４１に表示させることが可能である。
【００４０】
なお、本発明の実施の形態は、本発明の内容の一例を示すものであり、更なる別の公知技術と組み合わせることも可能であるし、本発明の要旨を逸脱しない範囲で、一部を省略する等、変更して構成することも可能であることは無論である。
【産業上の利用可能性】
【００４１】
以上のように、本発明は、電力設備監視制御装置および電力設備監視制御システムに適用可能であり、特に、開閉器以外の電力機器が設けられている場合でもこの電力機器に接続されたラインの充停電状態を表示することができる固定子コアの抜け荷重を確保しつつ信頼性を高めることができる発明として有用である。
【符号の説明】
【００４２】
１  電源（電線）、２，３，４  開閉器（電力機器）、５  整流器（電力機器）、１１，１２，１３，１４  ライン（電線）、２１，２２  電源、２３  切替開閉器（電力機器）、３３  ライン（電線）、４０  中央処理装置（電力設備監視制御装置）、４１  表示端末（表示部）、４２  充停電状態判定表示部、４３  遠制親局、４４  ネットワーク、４５  変電所、４６  遠制子局、４７  主配電盤、４８，４８−１，４８−２  電力設備、４８ａ  状態情報、４９  記憶部、５０  状態監視部、５１  充停電状態判定部、５２  画面表示部、５３  状態情報、５４  機器アドレステーブル、５４ａ  アドレス、５４ｂ  名称、５４ｃ  方向フラグ、５４ｄ  切替フラグ、５４ｅ  アドレス、５５  ラインアドレステーブル、５５ａ  アドレス、５５ｂ  名称、５５ｃ  アドレス、５６  ライン状態情報、１００  電力設備監視制御システム。
【図１】
0006021835.tif 000002
【図２】
0006021835.tif 000003
【図３】
0006021835.tif 000004
【図４】
0006021835.tif 000005
【図５】
0006021835.tif 000006
【図６】
0006021835.tif 000007
【図７】
0006021835.tif 000008
【図８】
0006021835.tif 000009